(57)【特許請求の範囲】
【請求項１】
上方上枠部及び下方上枠部を有し、これら上方上枠部及び下方上枠部の間に浴室と脱衣室との間を連通する通気通路を構成した上枠を備え、前記下方上枠部と下枠との間に上下方向に沿って方立枠を設けることにより、一方の縦枠と前記方立枠との間に固定面材によって閉塞される第１の開口を構成するとともに、他方の縦枠と前記方立枠との間に可動面材によって開閉される第２の開口を構成する浴室用建具において、
上面に前記固定面材の下縁部を収容する下縁収容溝を有するとともに、下面に係合突起を有した面材保持部材を備え、
前記下枠には前記係合突起に係合する係合溝が形成され、
前記係合溝に前記係合突起を係合させることにより、前記下枠の上面に前記面材保持部材が取り付けられ、
前記下枠の上面において前記第２の開口に対応する部分には、前記係合溝を覆い隠すためのカバー部材が装着され、
前記下枠は、少なくとも前記浴室側に位置する縁部の上面が前記浴室に向けて漸次下方となるように傾斜したものであり、
前記カバー部材は、前記下枠の傾斜した上面に沿って延在するカバー上面を有し、
前記上方上枠部は、前記下方上枠部の前記浴室側に位置する部分を覆うように下方に向けて延在した見付けカバー部を有したものであり、前記固定面材の上縁部が前記見付けカバー部の下端部に支持されていることを特徴とする浴室用建具。
【請求項２】
前記見付けカバー部の下面において前記浴室側に偏った位置に前記固定面材の上縁部を収容する上縁収容溝を設けたことを特徴とする請求項１に記載の浴室用建具。
【請求項３】
上方上枠部及び下方上枠部を有し、これら上方上枠部及び下方上枠部の間に浴室と脱衣室との間を連通する通気通路を構成した上枠を備え、前記下方上枠部と下枠との間に上下方向に沿って方立枠を設けることにより、一方の縦枠と前記方立枠との間に固定面材によって閉塞される第１の開口を構成するとともに、他方の縦枠と前記方立枠との間に可動面材によって開閉される第２の開口を構成する浴室用建具において、
前記上方上枠部は、前記下方上枠部の前記浴室側に位置する部分を覆うように下方に向けて延在した見付けカバー部を有したものであり、前記固定面材の上縁部が前記見付けカバー部の下端部に支持されており、
前記方立枠は、前記脱衣室に臨む面にアタッチメントカバーが着脱可能に取り付けられるものであり、前記アタッチメントカバーを取り外した状態で、前記上枠及び前記下枠から立設した取付ブラケットに対して前記脱衣室から取付ネジを螺合することによって前記上枠及び前記下枠に取り付けられていることを特徴とする浴室用建具。
【発明の詳細な説明】
【技術分野】
【０００１】
本発明は、浴室と脱衣室との間の開口に設置される浴室用建具に関するもので、特に、上枠に通気通路を有した浴室用建具に関する。
【背景技術】
【０００２】
浴室と脱衣室との間の開口に設置される浴室用建具には、上枠に通気通路を有したものが既に提供されている。すなわち、上枠を上方上枠部及び下方上枠部によって構成し、上方上枠部と下方上枠部との間に通気通路を確保するようにしたものである（例えば、特許文献１参照）。この浴室建具によれば、面材に通気通路が不要となるため、面材の清掃作業が容易化する。また、面材や下枠、縦枠に比べて浴室の水が掛かるおそれが少ないため、脱衣室への水の浸入を防止する点においても有利となる。
【先行技術文献】
【特許文献】
【０００３】
【特許文献１】特開２００８−２３１６６４号公報
【発明の概要】
【発明が解決しようとする課題】
【０００４】
通常、この種の浴室建具では、浴室と脱衣室との開口に対してほぼ半分となる部分に固定面材を配設し、可動面材によって開閉される開口の面積を小さくすることにより、浴室から脱衣室への水の浸入を抑えるように構成されている場合が多い。すなわち、上枠及び下枠の間に方立枠を配設し、一方の縦枠と方立枠との間に固定面材によって常時閉塞される第１の開口を設けるとともに、他方の縦枠と方立枠との間に可動面材によって開閉される第２の開口を設けるようにしている。こうした浴室建具によれば、開閉される第２の開口の面積が小さくなるため、浴室から脱衣室へ水が浸入する事態も少なくすることができる。また、固定面材と可動面材とを連窓する場合に必要となるアングル材等の連結部材が不要となるため、見込み方向に沿った寸法を小さく設定することができ、脱衣室を広く使うことができる等の利点もある。
【０００５】
しかしながら、固定面材を設けた第１の開口においても下方上枠部の上方に浴室と脱衣室とを連通する通気通路が開口することになるため、固定面材と可動面材とを連窓する場合に比べて脱衣室へ水が浸入する事態が増えるおそれがある。特許文献１のように、第１の開口に配設される通気通路に固定面材を保持するための保持部材を配設し、通気通路を塞いでしまえば問題はない。しかしながら、保持部材を用意する分、部品点数が増えることになり、製造コストや組立作業の点では必ずしも好ましいとはいえない。
【０００６】
本発明は、上記実情に鑑みて、部品点数を増やすことなく、脱衣室への水の浸入をより確実に防止することのできる浴室用建具を提供することを目的とする。
【課題を解決するための手段】
【０００７】
上記目的を達成するため、本発明に係る浴室用建具は、上方上枠部及び下方上枠部を有し、これら上方上枠部及び下方上枠部の間に浴室と脱衣室との間を連通する通気通路を構成した上枠を備え、前記下方上枠部と下枠との間に上下方向に沿って方立枠を設けることにより、一方の縦枠と前記方立枠との間に固定面材によって閉塞される第１の開口を構成するとともに、他方の縦枠と前記方立枠との間に可動面材によって開閉される第２の開口を構成する浴室用建具において、上面に前記固定面材の下縁部を収容する下縁収容溝を有するとともに、下面に係合突起を有した面材保持部材を備え、前記下枠には前記係合突起に係合する係合溝が形成され、前記係合溝に前記係合突起を係合させることにより、前記下枠の上面に前記面材保持部材が取り付けられ、前記下枠の上面において前記第２の開口に対応する部分には、前記係合溝を覆い隠すためのカバー部材が装着され、前記下枠は、少なくとも前記浴室側に位置する縁部の上面が前記浴室に向けて漸次下方となるように傾斜したものであり、前記カバー部材は、前記下枠の傾斜した上面に沿って延在するカバー上面を有し、前記上方上枠部は、前記下方上枠部の前記浴室側に位置する部分を覆うように下方に向けて延在した見付けカバー部を有したものであり、前記固定面材の上縁部が前記見付けカバー部の下端部に支持されていることを特徴とする。
【０００８】
この発明によれば、第１の開口においては固定面材によって上枠の通気通路が塞がれた状態となり、別途部品を要しないため、部品点数を増やすことなく脱衣室への水の浸入をより確実に防止することが可能となる。
【０００９】
また本発明は、上述した浴室用建具において、前記見付けカバー部の下面において前記浴室側に偏った位置に前記固定面材の上縁部を収容する上縁収容溝を設けたことを特徴とする。
【００１０】
この発明によれば、固定面材と上枠の見付けカバー部との段差が小さくなるため、浴室の掃除が容易となる。
【００１２】
この発明によれば、下枠の上面から面材保持部材が突出するため、水密性の点で有利となる。
【００１４】
この発明によれば、下枠に設けた係合溝がカバー部材によって覆われ、係合溝が外部に露出しないため、外観品質が損なわれるおそれがない。
【００１６】
この発明によれば、係合溝に設けたカバー部材のカバー上面と下枠の上面とが一致するため、下枠において人が出入りする部分の上面の平坦化を図ることができる。
【００１７】
また本発明に係る浴室用建具は、上方上枠部及び下方上枠部を有し、これら上方上枠部及び下方上枠部の間に浴室と脱衣室との間を連通する通気通路を構成した上枠を備え、前記下方上枠部と下枠との間に上下方向に沿って方立枠を設けることにより、一方の縦枠と前記方立枠との間に固定面材によって閉塞される第１の開口を構成するとともに、他方の縦枠と前記方立枠との間に可動面材によって開閉される第２の開口を構成する浴室用建具において、前記上方上枠部は、前記下方上枠部の前記浴室側に位置する部分を覆うように下方に向けて延在した見付けカバー部を有したものであり、前記固定面材の上縁部が前記見付けカバー部の下端部に支持されており、前記方立枠は、前記脱衣室に臨む面にアタッチメントカバーが着脱可能に取り付けられるものであり、前記アタッチメントカバーを取り外した状態で、前記上枠及び前記下枠から立設した取付ブラケットに対して前記脱衣室から取付ネジを螺合することによって前記上枠及び前記下枠に取り付けられていることを特徴とする。
【００１８】
この発明によれば、上枠及び下枠の見込み方向に沿った寸法の範囲で方立枠を上枠及び下枠に取り付けることが可能となり、方立枠の見込み方向に沿った寸法を小さく設定することが可能となる。
【００２０】
この発明によれば、浴室からの水の浸入を防止することができ、かつ取付ネジが外部に露出しないため、外観品質を損なうおそれがない。
【発明の効果】
【００２１】
本発明によれば、第１の開口においては固定面材によって上枠の通気通路が塞がれた状態となり、別途部品を要しないため、部品点数を増やすことなく脱衣室への水の浸入をより確実に防止することが可能となる。
【図面の簡単な説明】
【００２２】
【図１】図１は、本発明の実施の形態１である浴室用建具の横断面図である。
【図２】図２は、図１に示した浴室用建具の方立枠部分を示す縦断面図である。
【図３】図３は、図１に示した浴室用建具の右開口を示す縦断面図である。
【図４】図４は、本発明の実施の形態２である浴室用建具の横断面図である。
【図５】図５は、図４に示した浴室用建具の左開口を示す縦断面図である。
【図６】図６は、図４に示した浴室用建具の方立枠部分を示す縦断面図である。
【図７】図７は、図４に示した浴室用建具の右開口を示す縦断面図である。
【図８】図８は、図４に示した浴室用建具の変形例を示す横断面図である。
【発明を実施するための形態】
【００２３】
以下、添付図面を参照しながら本発明に係る浴室用建具の好適な実施の形態について詳細に説明する。
【００２４】
（実施の形態１）
図１〜図３は、本発明の実施の形態１である浴室用建具を示したものである。ここで例示する浴室用建具は、ホテルや介護施設等、水密性能に対する要求レベルが比較的低い建物の浴室と脱衣室との間の開口を設置対象とする片引き戸である。図からも明らかなように、この浴室建具は、枠体１０を有している。枠体１０は、上枠１１、下枠１２及び左右の縦枠１３，１４を四周枠組みすることによって構成した矩形状の主枠部１０Ａと、上枠１１及び下枠１２の間に上下方向に沿って配設した方立枠１５とを備えたものである。本実施の形態１では、上枠１１及び下枠１２の長手をほぼ二等分する位置に方立枠１５を配置し、主枠部１０Ａによって囲まれる開口を二分している。
【００２５】
二分した主枠部１０Ａの開口のうち、脱衣室から見て左側に配置される左開口（第２の開口）１０ＡＬは、可動面材である障子２０によって開閉され、脱衣室から浴室への出入口となる部分である。脱衣室から見て右側に配置される右開口（第１の開口）１０ＡＲは、透明樹脂パネルやガラスパネル等の透光性を有した固定面材３０によって閉塞される部分である。主枠部１０Ａの右開口１０ＡＲにおいて固定面材３０よりも脱衣室側となる部分には、左開口１０ＡＬを開いた場合に障子２０を収納するための戸袋が構成される。障子２０は、透明樹脂やガラス等の透光性を有した矩形状を成すパネル２１と、パネル２１の四周に装着した上框２２、下框２３及び左右の縦框２４，２５とを備えて構成したものである。この障子２０は、脱衣室から見て右側に配置される縦框２５を方立枠１５に対して見込み方向に並設した場合に左開口１０ＡＬを閉じることのできる大きさに構成してある。
【００２６】
上枠１１、下枠１２、左右の縦枠１３，１４及び方立枠１５は、樹脂もしくはアルミニウム合金等の金属によって成形した押し出し形材であり、それぞれが長手方向の全長にわたってほぼ一様な断面形状を有するように構成してある。このうち主枠部１０Ａを構成する主枠部構成要素、つまり上枠１１、下枠１２及び左右の縦枠１３，１４は、互いに見込み方向に沿った寸法が同一である。これに対して方立枠１５は、主枠部構成要素１１，１２，１３，１４よりも見込み方向に沿った寸法が短く構成してあり、浴室に臨む見付け面が主枠部１０Ａの浴室に臨む見付け面に合致した状態で上枠１１及び下枠１２に取り付けてある。本実施の形態１では、見込み方向に沿った寸法が主枠部構成要素１１，１２，１３，１４に対してほぼ１／３となる方立枠１５を適用している。
【００２７】
以下、枠体１０の詳細構成について詳述し、併せて本発明の特徴部分について詳述する。なお、本明細書で用いる用語「見込み方向」は、図中の矢印Ａで示すように、浴室用建具の奥行きに沿った方向である。見込み方向に沿った平面については、「見込み面」と称する場合がある。また、用語「見付け方向」は、上枠１１及び下枠１２あるいは上框２２や下框２３等の水平方向に沿って延在するものの場合、見込み方向に直交した上下に沿う方向であり、縦枠１３，１４や縦框２４，２５等の上下方向に沿って延在するものの場合、見込み方向に直交した水平に沿う方向である。枠や框の長手方向とは、それぞれを押し出し成形する場合の押し出し方向に一致する。
【００２８】
上枠１１は、図３に示すように、互いに独立した上方上枠部１１１と下方上枠部１１２とを備え、これら上方上枠部１１１と下方上枠部１１２との間に通気通路Ｘを確保した状態で左右の縦枠１３，１４の上端部間に取り付けられたものである。上方上枠部１１１は、上方枠基部１１１Ａ及び見付けカバー部１１１Ｂを有して構成してある。
【００２９】
上方枠基部１１１Ａは、見込み方向に沿ってほぼ水平に延在し、かつ浴室側となる縁部が下方に向けて湾曲したものである。上方枠基部１１１Ａの下面には、見込み方向のほぼ中間となる位置にポケット１１１Ａ１が設けてある。ポケット１１１Ａ１は、上方枠基部１１１Ａの長手に沿って形成したもので、その内部に換気制御弁４０の基端支持部４０ａを回転可能に収容している。
【００３０】
見付けカバー部１１１Ｂは、上下方向に沿って延在したもので、下半部の下方中空部１１１Ｂａと、下方中空部１１１Ｂａの浴室に臨む前壁１１１Ｂａ１から連続して上方に延在する上方壁部１１１Ｂｂとを有している。下方中空部１１１Ｂａにおいて脱衣室に臨む後壁１１１Ｂａ２の上端部には、上方枠基部１１１Ａの湾曲した下端部が連結している。下方中空部１１１Ｂａの下面には、上縁収容溝１１１Ｃが設けてある。上縁収容溝１１１Ｃは、固定面材３０の上縁部を収容するためのもので、浴室側に偏った位置において下方に開口している。本実施の形態１では、下方中空部１１１Ｂａの前壁１１１Ｂａ１と後壁１１１Ｂａ２との間に上下方向に延在する溝縦壁１１１Ｂａ３を設けるとともに、溝縦壁１１１Ｂａ３の上端から前壁１１１Ｂａ１に溝上壁１１１Ｂａ４を延在することにより、溝縦壁１１１Ｂａ３と前壁１１１Ｂａ１との間に上縁収容溝１１１Ｃを構成するようにしている。つまり、本実施の形態１では、上縁収容溝１１１Ｃと浴室との間に下方中空部１１１Ｂａの前壁１１１Ｂａ１のみが介在する構成である。上方壁部１１１Ｂｂは、平板状を成し、上方枠基部１１１Ａを超える位置まで上方に延在している。
【００３１】
下方上枠部１１２は、下方枠基部１１２Ａ、上トラック部１１２Ｂ及び弁座部１１２Ｃを有して構成してある。下方枠基部１１２Ａは、上面壁１１２Ａ１、下面壁１１２Ａ２、浴室面壁１１２Ａ３及び脱衣室面壁１１２Ａ４によって囲まれた略角筒状を成すものである。図からも明らかなように、上面壁１１２Ａ１において浴室側となる部分は、漸次下方となるようにわずかに傾斜している。この下方枠基部１１２Ａは、上面壁１１２Ａ１と上方上枠部１１１の上方枠基部１１１Ａとの間及び浴室面壁１１２Ａ３と下方中空部１１１Ｂａの後壁１１１Ｂａ２との間にそれぞれ隙間を確保した状態で左右の縦枠１３，１４の間に取り付けてある。下方枠基部１１２Ａの脱衣室面壁１１２Ａ４は、上方枠基部１１１Ａの脱衣室側縁部よりも浴室側に位置し、かつ下方枠基部１１２Ａの下面壁１１２Ａ２は、下方中空部１１１Ｂａの下面よりも上方に位置している。
【００３２】
上トラック部１１２Ｂは、上述した障子２０の上框２２を上枠１１の長手方向に沿って案内するためのものである。本実施の形態１では、下方枠基部１１２Ａの下面壁１１２Ａ２から鉛直方向に沿って延在した板状を成す上トラック部１１２Ｂが、下方上枠部１１２の長手に沿った全長に設けてある。この上トラック部１１２Ｂは、下端の位置が下方中空部１１１Ｂａの下端位置とほぼ同じとなるように設けてある。
【００３３】
弁座部１１２Ｃは、下方枠基部１１２Ａの脱衣室面壁１１２Ａ４から上方に突出した後に浴室側に向けて屈曲した部分であり、下方上枠部１１２の長手に沿った全長に設けてある。この弁座部１１２Ｃは、図２中の二点鎖線で示すように、上方上枠部１１１のポケット１１１Ａ１から換気制御弁４０が自重によって垂下した場合に換気制御弁４０の先端部が浴室側から当接可能となる位置に設けてある。
【００３４】
上記の構成を有する上枠１１においては、上方上枠部１１１の下方中空部１１１Ｂａと下方上枠部１１２の上トラック部１１２Ｂとの間から上方上枠部１１１の上方枠基部１１１Ａと下方上枠部１１２の上面壁１１２Ａ１との間にわたって一連の通気通路Ｘが構成される。すなわち、本実施の形態１では、浴室側において上下方向に沿い、かつ下端が開口した通路部分と、この通路部分の上端から見付け方向に沿って脱衣室に開口する通路部分とを有した通気通路Ｘが上枠１１に構成されることになる。但し、上述した換気制御弁４０の先端が下方上枠部１１２の弁座部１１３Ｃに当接した場合、上記通気通路Ｘは、浴室と脱衣室との間がほぼ遮断された状態となる。
【００３５】
下枠１２は、見込み方向に沿ってほぼ水平に延在する下枠基部１２ａの上面に下トラック部１２ｂを有している。下トラック部１２ｂは、上述した障子２０の下框２３を下枠１２の長手方向に沿って案内するためのものである。本実施の形態１では、上枠１１に設けた上トラック部１１２Ｂに対応する部位から上方に突出した板状を成す下トラック部１２ｂが、下枠１２の長手に沿った全長に設けてある。下枠基部１２ａには、脱衣室側の縁部に台部１２ｃが設けてある一方、浴室側の縁部に傾斜部１２ｄ及び凹座部１２ｅが設けてある。台部１２ｃは、下枠基部１２ａから上方に突出した後、脱衣室側に向けてほぼ水平に延在した部分である。傾斜部１２ｄは、下枠基部１２ａから漸次可能に傾斜した部分である。凹座部１２ｅは、上枠１１の下方中空部１１１Ｂａに対向して設けた水平に延在する部分である。この凹座部１２ｅは、傾斜部１２ｄの端縁よりも低い位置に段状となるように設けたもので、その上面に係合溝１２ｆを有している。係合溝１２ｆは、開口幅よりも内部の幅が広いＴ溝であり、開口が凹座部１２ｅのほぼ中央に位置する状態で下枠１２の長手に沿った全長に設けてある。
【００３６】
左右の縦枠１３，１４は、図１に示すように、それぞれ見込み方向に沿ってほぼ鉛直に延在する平板状の縦枠基部１３ａ，１４ａと、縦枠基部１３ａ，１４ａの浴室側縁部から主枠部１０Ａの外周方向に向けてほぼ直角に屈曲した縦枠見付け壁部１３ｂ，１４ｂとを基本構成とするものである。
【００３７】
脱衣室から見て左側の縦枠（以下、左縦枠１３という）には、縦枠基部１３ａの内周側に位置する見込み面に一対のカバーヒレ部１３ｃ，１３ｄが設けてある。これらのカバーヒレ部１３ｃ，１３ｄは、縦枠基部１３ａの見込み面に対してほぼ直交する方向に突出した板状部分であり、それぞれがほぼ鉛直に沿う状態で左縦枠１３の長手に沿った全長に設けてある。浴室側のカバーヒレ部１３ｃには、突出した縁部において脱衣室に臨む部位にシール材１３ｅが装着してある。これらのカバーヒレ部１３ｃ，１３ｄは、左開口１０ＡＬを障子２０によって閉じた場合に、脱衣室から見て左側に配置される縦框（以下、戸先框２４という）の一部を互いの間に収容し、かつシール材１３ｅを戸先框２４の浴室に臨む見付け面に当接させることのできる位置に設けてある。
【００３８】
脱衣室から見て右側の縦枠（以下、右縦枠１４という）には、図３に示すように、上枠１１に設けた下方中空部１１１Ｂａの前壁１１１Ｂａ１に対応する部位に縦枠側支持ヒレ部１４ｃが設けてある。縦枠側支持ヒレ部１４ｃは、縦枠基部１４ａの見込み面に対してほぼ直交する方向に突出した板状部分であり、鉛直に沿う状態で右縦枠１４の長手に沿って設けてある。縦枠側支持ヒレ部１４ｃにおいて脱衣室に臨む見付け面には、脱衣室側に向けて突出した押縁係合ヒレ部１４ｄが設けてある。押縁係合ヒレ部１４ｄは、縦枠基部１４ａとの間に押縁５０を装着するためのものである。押縁５０は、平板状を成す押縁基部５０ａと、押縁基部５０ａから突出した一対の挿入ヒレ部５０ｂ，５０ｃとを有したものである。押縁基部５０ａは、右縦枠１４に設けた押縁係合ヒレ部１４ｄとほぼ同じ幅を有したものである。挿入ヒレ部５０ｂ，５０ｃは、押縁基部５０ａの一方の表面から互いに同一方向に向けてほぼ直角に突出したもので、互いに内方に撓めた場合に縦枠基部１４ａの見込み面と押縁係合ヒレ部１４ｄとの間に挿入することのできる幅を有している。一方の挿入ヒレ部５０ｂは、押縁基部５０ａの一方の縁部に設けてある。もう一方の挿入ヒレ部５０ｃは、押縁基部５０ａの中間部に設けてある。押縁基部５０ａの他方の縁部は、挿入ヒレ部５０ｂ，５０ｃと同じ方向に屈曲しており、押縁５０を押縁係合ヒレ部１４ｄに装着した場合に押縁係合ヒレ部１４ｄとの間に固定面材３０の側縁部を挟持することが可能である。
【００３９】
方立枠１５は、図１及び図２に示すように、見込み方向に沿った寸法が下枠基部１２ａの浴室側縁部から傾斜部１２ｄまでの距離にほぼ等しくなるように構成したものである。本実施の形態１では、方立基部１５Ａ及び方立側支持ヒレ部１５Ｂを有して方立枠１５が構成してある。方立基部１５Ａは、図１及び図２に示すように、中空の柱状を成すもので、浴室面壁部１５Ａ１、左枠対向壁部１５Ａ２、右枠対向壁部１５Ａ３及び螺合支持壁部１５Ａ４を有している。浴室面壁部１５Ａ１は、見付け方向に沿ってほぼ鉛直に延在する平板状部分である。左枠対向壁部１５Ａ２及び右枠対向壁部１５Ａ３は、浴室面壁部１５Ａ１の両側縁部からそれぞれ脱衣室側に屈曲して延在する板状部分である。螺合支持壁部１５Ａ４は、左枠対向壁部１５Ａ２の中間部において右枠対向壁部１５Ａ３に対向する見込み面から右枠対向壁部１５Ａ３に向けて突出した平板状部分であり、浴室面壁部１５Ａ１と平行となるように設けてある。螺合支持壁部１５Ａ４の端縁は、脱衣室に向けて右枠対向壁部１５Ａ３と平行に延在する連結壁部１５Ａ５及び連結壁部１５Ａ５から右枠対向壁部１５Ａ３に向けて延在する脱衣室面壁部１５Ａ６を介して右枠対向壁部１５Ａ３に連結している。
【００４０】
方立側支持ヒレ部１５Ｂは、右開口１０ＡＲに臨む右枠対向壁部１５Ａ３から右枠対向壁部１５Ａ３に対してほぼ直交する方向に突出した板状部分であり、鉛直に沿う状態で方立枠１５の長手に沿って形成してある。この方立側支持ヒレ部１５Ｂは、右縦枠１４に設けた縦枠側支持ヒレ部１４ｃとの間に固定面材３０を支持するためのもので、縦枠側支持ヒレ部１４ｃに対向する位置に部位に設けてある。方立側支持ヒレ部１５Ｂにおいて脱衣室に臨む見付け面には、脱衣室側に向けて突出した押縁係合ヒレ部１５Ｂ１が設けてある。押縁係合ヒレ部１５Ｂ１は、右枠対向壁部１５Ａ３との間に押縁５０を装着するためのものである。押縁５０は、縦枠側支持ヒレ部１４ｃに適用するものと同様の構成を有したものであり、同一の符号を付して詳細説明を省略する。
【００４１】
この方立枠１５は、図２に示すように、浴室面壁部１５Ａ１の外表面を、縦枠見付け壁部１３ｂ，１４ｂの見付け面に合致させた状態で上方上枠部１１１の見付けカバー部１１１Ｂと下枠１２との間に配置し、上端部を下方中空部１１１Ｂａに螺合する一方、下端部を下枠１２の取付ブラケット６０に螺合することによって主枠部１０Ａに取り付けてある。より詳細に説明すると、方立枠１５の上端部においては、螺合支持壁部１５Ａ４よりも浴室側に位置する部分を切除し、螺合支持壁部１５Ａ４を下方中空部１１１Ｂａの後壁１１１Ｂａ２に当接させた状態で脱衣室側から取付ネジＳを螺合するようにしている。方立枠１５の下端部においては、下枠１２の上面から突出する取付ブラケット６０の方立連結片６０ａを螺合支持壁部１５Ａ４に当接させた状態で脱衣室側から取付ネジＳを螺合するようにしている。本実施の形態１で適用する取付ブラケット６０は、方立連結片６０ａと下枠連結片６０ｂとを有した略Ｌ字状を成すもので、方立連結片６０ａが鉛直方向に沿う状態で下枠連結片６０ｂを介して下枠基部１２ａの水平に延在する部分に取り付けてある。
【００４２】
取付ネジＳを螺合した後においては、螺合支持壁部１５Ａ４を覆うように方立枠１５にアタッチメントカバー１６を装着し、取付ネジＳや取付ブラケット６０が外部に露出しないようにしている。アタッチメントカバー１６は、樹脂もしくはアルミニウム合金等の金属によって成形した押し出し形材である。このアタッチメントカバー１６は、左枠対向壁部１５Ａ２及び連結壁部１５Ａ５に設けた係合爪部１５Ａ７を介して方立枠１５に着脱可能に装着してある。
【００４３】
上枠１１、右縦枠１４、方立枠１５及び下枠１２によって囲まれた右開口１０ＡＲには、図１及び図３に示すように、下枠１２との間に面材保持部材７０を介在させて固定面材３０を配設するようにしている。面材保持部材７０は、見込み方向に沿った寸法が上枠１１の見付けカバー部１１１Ｂとほぼ同じに構成した角筒状部材であり、右縦枠１４から方立枠１５までの間の全長に配置することのできる長さを有している。この面材保持部材７０には、上面に下縁収容溝７０ａが設けてあるとともに、下面に係合突起７０ｂが設けてある。下縁収容溝７０ａは、固定面材３０の下縁部を収容するためのもので、浴室側に偏った位置において上方に開口している。本実施の形態１では、面材保持部材７０の前壁７０ａ１と後壁７０ａ２との間に上下方向に延在する溝縦壁７０ａ３を設けるとともに、溝縦壁７０ａ３の下端から前壁７０ａ１に溝下壁７０ａ４を延在することにより、溝縦壁７０ａ３と前壁７０ａ１との間に下縁収容溝７０ａを構成するようにしている。つまり、本実施の形態１では、下縁収容溝７０ａと浴室との間に面材保持部材７０の前壁７０ａ１のみが介在する構成である。係合突起７０ｂは、下枠１２の係合溝１２ｆに嵌合する断面を有したＴ字状を成すものである。この面材保持部材７０は、下枠１２の端面から係合溝１２ｆに係合突起７０ｂを挿入することによって下枠１２に保持されることになる。
【００４４】
固定面材３０は、上縁部を上枠１１の上縁収容溝１１１Ｃに収容させ、下縁部を面材保持部材７０の下縁収容溝７０ａに収容させることによって右開口１０ＡＲに配設される。この状態においては、固定面材３０の両側縁部がそれぞれ縦枠１３，１４の縦枠側支持ヒレ部１４ｃ及び方立枠１５の方立側支持ヒレ部１５Ｂに当接された状態となり、縦枠側支持ヒレ部１４ｃ及び方立側支持ヒレ部１５Ｂにそれぞれ押縁５０を装着することで固定面材３０の両側縁部が縦枠１３，１４及び方立枠１５に挟持された状態となる。固定面材３０として樹脂パネルのように弾性変形が可能なものを適用する場合には、予め下枠１２に面材保持部材７０を取り付けておいても良いが、固定面材３０とともに面材保持部材７０を下枠１２に保持させることが好ましい。すなわち、固定面材３０の下縁部を予め下縁収容溝７０ａに収容させ、この状態から固定面材３０の上面部を上縁収容溝１１１Ｃに収容させながら下枠１２に面材保持部材７０を取り付ければ良い。
【００４５】
図１及び図２からも明らかなように、左開口１０ＡＬに対しては、下枠１２の係合溝１２ｆが外部に露出しないように、凹座部１２ｅにカバー部材８０を配設するようにしている。カバー部材８０は、弾性を有した樹脂によって成形したもので、カバー本体８０ａと係合突部８０ｂとを有している。カバー本体８０ａは、凹座部１２ｅに対応する幅を有し、上面（カバー上面）８０ａ１が一方の縁部から他方の縁部に向けて傾斜したもので、左縦枠１３から方立枠１５までの間の全長に配置することのできる長さを有している。係合突部８０ｂは、面材保持部材７０の係合突起７０ｂと同様、Ｔ字状を成すものである。このカバー本体８０ａは、下枠１２の端面から係合溝１２ｆに係合突部８０ｂを挿入することによって下枠１２に保持される。図からも明らかなように、下枠１２に保持されたカバー部材８０は、傾斜する上面８１ａが下枠１２の傾斜部１２ｄに沿って延在しており、傾斜部１２ｄとの間を凹凸することなく連続している。このカバー部材８０は、係合溝１２ｆを覆い隠すのみならず、滑り止めの作用も奏する。
【００４６】
上記のように構成した浴室用建具によれば、左開口１０ＡＬの上部に構成される上枠１１の通気通路Ｘが浴室及び脱衣室にそれぞれ開口された状態となる。一方、右開口１０ＡＲの上部に構成される上枠１１の通気通路Ｘは、浴室側の開口が固定面材３０によって閉塞された状態となるため、別途部品によって右開口１０ＡＲの通気通路Ｘを塞ぐ必要がない。従って、部品点数を増やすことなく脱衣室への水の浸入を防止した上で浴室と脱衣室との間で換気を行うことが可能となる。
【００４７】
しかも、浴室側においては、固定面材３０と上枠１１、右縦枠１４、方立枠１５及び面材保持部材７０との間に大きな段差が生じない。つまり、上枠１１においては、固定面材３０と浴室との間に下方中空部１１１Ｂａの前壁１１１Ｂａ１のみが介在し、面材保持部材７０においては、固定面材３０と浴室との間に面材保持部材７０の前壁７０ａ１のみが介在する構成である。右縦枠１４及び方立枠１５においては、固定面材３０と浴室との間にそれぞれの支持ヒレ部１４ｃ，１５Ｂのみが介在する構成である。従って、意匠性の点で有利となるばかりでなく、汚れが付着する部分も小さくなるため、掃除が容易となる利点もある。
【００４８】
また、固定面材３０の上縁部を直接上枠１１の上縁収容溝１１１Ｃに収容させるようにしているため、固定面材３０を保持するための部品によって採光が遮られることがなく、浴室内外の採光面積を広く確保することができるようになる。
【００４９】
さらに、下枠１２と固定面材３０との間に面材保持部材７０を介在させるようにしているため、下枠１２の上面を超えて浴室の防水パン（図示せず）に水が貯留された場合にも、面材保持部材７０の高さ分だけ脱衣室側へ水の浸入を防止することができるようになる。しかも、左開口１０ＡＬにおいては、凹座部１２ｅにカバー部材８０を配設しているため、段差がなくなるばかりでなく、滑り止めとしても機能するため、浴室と脱衣室との間の人の出入りの際に躓いたり滑ったりするおそれがなくなる。
【００５０】
またさらに、方立枠１５は、上枠１１から下方に突出した下方中空部１１１Ｂａに取付ネジＳを螺合することにより上端部を連結し、かつ下枠１２から上方に突出した取付ブラケット６０の方立連結片６０ａに取付ネジＳを螺合することにより下端部を連結するようにしている。従って、主枠部１０Ａの外部に別途アングル材を配設して方立枠１５を上枠１１や下枠１２に取り付ける必要がない。加えて、主枠部１０Ａにおいて固定面材３０をもっとも浴室に近接した位置に配置するようにしている。これらの結果、この浴室建具によれば、見込み方向に沿った寸法を小さくすることができ、脱衣室を広く使うことができるようになる。
【００５１】
（実施の形態２）
図４〜図７は、本発明の実施の形態２である浴室用建具を示したものである。ここで例示する浴室用建具は、実施の形態１と同様、ホテルや介護施設等、水密性能に対する要求レベルが比較的低い建物の浴室と脱衣室との間の開口を設置対象とする折れ戸であり、実施の形態１とは障子、上枠の下方上枠部、脱衣室から見て左側に配置される左縦枠及び方立枠の構成が異なっている。以下、実施の形態１と異なる部分を中心に説明し、実施の形態１と同様の構成については同一の符号を付してそれぞれの詳細説明を省略する。
【００５２】
実施の形態２の可動面材である障子１２０は、図４及び図５に示すように、上下方向に沿った軸芯を中心として互いに折り曲げ可能に連結した２枚の扉１２０Ａ，１２０Ｂを備えて構成したものである。それぞれの扉１２０Ａ，１２０Ｂは、透明樹脂やガラス等の透光性を有した矩形状を成すパネル１２１と、パネル１２１の四周に装着した上框１２２、下框１２３及び左右の縦框１２４，１２５とを備えて構成したものである。この障子１２０は、脱衣室側から見た場合に左側に配置される左扉１２０Ａにおいて左側の縦框１２４を上下方向に貫通するように回転軸芯が設定してあり、この回転軸芯が回転中心となるように主枠部１０Ａの左開口（第２の開口）１０ＡＬに回転可能に配設してある。また脱衣室側から見た場合に右側に配置される右扉１２０Ｂには、右側の縦框１２５を上下方向に貫通するようにスライド軸芯が設定してあり、このスライド軸芯が回転中心、かつ上枠１１及び下枠１２の長手方向に沿ってスライド可能となるように支持してある。すなわち、この障子１２０では、２枚の扉１２０Ａ，１２０Ｂが互いに１８０°開いた状態となった場合には、左開口１０ＡＬが閉じた状態となる。この状態から左扉１２０Ａが回転軸芯を中心として浴室側に回転し、右側の縦框１２５が浴室側に突出すると、右扉１２０Ｂがスライド軸芯を中心として回転し、左側の縦框１２４が浴室側に突出するとともに、スライド軸芯が左縦枠１３′に向けて漸次近接するように適宜スライドすることにより、２つの扉１２０Ａ，１２０Ｂが浴室側に向けて凸となるように互いに折り畳まれた状態となる。これにより、主枠部１０Ａの左開口１０ＡＬを開放することが可能となる。
【００５３】
上枠１１は、図５に示すように、互いに独立した上方上枠部１１１と下方上枠部１１３とを備え、これら上方上枠部１１１と下方上枠部１１３との間に通気通路Ｘを確保した状態で左右の縦枠１３′，１４の上端部間に取り付けられたものである。上方上枠部１１１は、実施の形態１の上方上枠部１１１と同様の構成を有したものである。
【００５４】
下方上枠部１１３は、下方枠基部１１３Ａ、上方当接ヒレ部１１３Ｂ及び弁座部１１３Ｃを有して構成してある。下方枠基部１１３Ａは、上面壁１１３Ａ１、下面壁１１３Ａ２、浴室面壁１１３Ａ３及び脱衣室面壁１１３Ａ４によって囲まれた略角筒状を成すものである。上面壁１１３Ａ１は、浴室側に向けて漸次下方となるようにわずかに傾斜している。浴室面壁１１３Ａ３は、上面壁１１３Ａ１から下方に延在した後、下半部が漸次浴室側に突出するようにわずかに傾斜している。浴室面壁１１３Ａ３と下面壁１１３Ａ２とによって構成される角部分には、支持溝１１３Ａ５が設けてある。支持溝１１３Ａ５は、開口幅よりも内部の幅が広いＴ溝であり、下方上枠部１１３の長手に沿った全長に設けてある。左開口１０ＡＬにおいて左縦枠１３′に近接する部分には、支持溝１１３Ａ５を介して下方上枠部１１３に軸支持ブラケット１５０が取り付けてある。軸支持ブラケット１５０は、左扉１２０Ａの上框１２２から突出する上方軸部材１２２ａを回転可能に支持するものである。なお、左扉１２０Ａの下框１２３には、軸支持ブラケット１２３ａが装着してある。この軸支持ブラケット１２３ａには、下枠１２の上面において上方軸部材１２２ａと同一軸芯上となる部位から突出する下方軸部材１５１が回転可能に挿通している。従って、障子１２０の左扉１２０Ａは、上方軸部材１２２ａ及び下方軸部材１５１の軸芯を中心として主枠部１０Ａに対して回転することになる。この下方枠基部１１３Ａは、上面壁１１３Ａ１と上方上枠部１１１の上方枠基部１１１Ａとの間及び浴室面壁１１３Ａ３と下方中空部１１１Ｂａの後壁１１１Ｂａ２との間にそれぞれ隙間を確保した状態で左右の縦枠１３′，１４の間に取り付けてある。下方枠基部１１３Ａの脱衣室面壁１１３Ａ４は、上方枠基部１１１Ａの脱衣室側縁部よりも浴室側に位置し、かつ下方枠基部１１３Ａの下面壁１１３Ａ２は、下方中空部１１１Ｂａの下面とほぼ同じ高さに位置している。
【００５５】
上方当接ヒレ部１１３Ｂは、下方枠基部１１３Ａの脱衣室面壁１１３Ａ４から鉛直方向に沿って下方に延在した板状部分であり、下方上枠部１１３の長手に沿った全長に設けてある。この上方当接ヒレ部１１３Ｂには、下端部において浴室に臨む部分に上方タイト材１１３Ｂａが設けてある。上方タイト材１１３Ｂａは、障子１２０が閉じられた場合に２つの扉１２０Ａ，１２０Ｂの上框１２２において脱衣室に臨む見付け面にそれぞれ当接し、上方当接ヒレ部１１３Ｂと障子１２０との間の気密を確保するものである。
【００５６】
弁座部１１３Ｃは、下方枠基部１１３Ａの脱衣室面壁１１３Ａ４から上方に突出した後に浴室側に向けて屈曲した部分であり、下方上枠部１１３の長手に沿った全長に設けてある。この弁座部１１３Ｃは、図５中の二点鎖線で示すように、上方上枠部１１１のポケット１１１Ａ１から換気制御弁４０が自重によって垂下した場合に換気制御弁４０の先端部が浴室側から当接可能となる位置に設けてある。
【００５７】
上記の構成を有する上枠１１においては、上方上枠部１１１の下方中空部１１１Ｂａと下方上枠部１１３の浴室面壁１１３Ａ３との間から上方上枠部１１１の上方枠基部１１１Ａと下方上枠部１１３の上面壁１１３Ａ１との間にわたって一連の通気通路Ｘが構成される。すなわち、本実施の形態２では、浴室側において上下方向に沿い、かつ下端が開口した通路部分と、この通路部分の上端から見付け方向に沿って脱衣室に開口する通路部分とを有した通気通路Ｘが上枠１１に構成されることになる。但し、上述した換気制御弁４０の先端が下方上枠部１１３の弁座部１１３Ｃに当接した場合、上記通気通路Ｘは、浴室と脱衣室との間がほぼ遮断された状態となる。
【００５８】
左右の縦枠１３′，１４は、図４に示すように、それぞれ見込み方向に沿ってほぼ鉛直に延在する平板状の縦枠基部１３ａ，１４ａと、縦枠基部１３ａ，１４ａの浴室側縁部から主枠部１０Ａの外周方向に向けてほぼ直角に屈曲した縦枠見付け壁部１３ｂ，１４ｂとを基本構成とするものである。
【００５９】
左縦枠１３′には、縦枠基部１３ａの内周側に位置する見込み面に左方当接ヒレ部１３ｆが設けてある。左方当接ヒレ部１３ｆは、縦枠基部１３ａにおいて上方当接ヒレ部１１３Ｂに対応する部位から方立枠１５′に向けてほぼ鉛直方向に沿って延在した板状部分である。この左方当接ヒレ部１３ｆには、突出端部において浴室に臨む部分に左方タイト材１３ｇが設けてある。左方タイト材１３ｇは、障子１２０が閉じられた場合に左扉１２０Ａにおいて左側に配置される縦框１２４の脱衣室に臨む見付け面に当接し、左方当接ヒレ部１３ｆと障子１２０との間の気密を確保するものである。なお、脱衣室から見て右側の縦枠（以下、右縦枠１４という）は、実施の形態１と同様の構成を有したものである。
【００６０】
方立枠１５′は、図６に示すように、見込み方向に沿った寸法が、上枠１１に設けた下方中空部１１１Ｂａの前壁１１１Ｂａ１から下方枠基部１１３Ａの脱衣室面壁１１３Ａ４までの距離にほぼ等しくなるように構成したもので、図４に示すように、方立基部１５Ａ、右方当接ヒレ部１５Ｃ及び方立側支持ヒレ部１５Ｂを有して構成してある。方立基部１５Ａは、角筒状を成すもので、浴室面壁部１５Ａ１、左枠対向壁部１５Ａ２、右枠対向壁部１５Ａ３及び螺合支持壁部１５Ａ４を有している。浴室面壁部１５Ａ１は、見付け方向に沿ってほぼ鉛直に延在する平板状部分である。左枠対向壁部１５Ａ２及び右枠対向壁部１５Ａ３は、浴室面壁部１５Ａ１の両側縁部からそれぞれ脱衣室側に屈曲して延在する板状部分である。螺合支持壁部１５Ａ４は、浴室面壁部１５Ａ１とほぼ平行となるように左枠対向壁部１５Ａ２及び右枠対向壁部１５Ａ３の間を連結するように設けた平板状部分である。図からも明らかなように、左枠対向壁部１５Ａ２及び右枠対向壁部１５Ａ３において螺合支持壁部１５Ａ４よりも突出する部分には、それぞれ係合爪部１５Ａ７が設けてある。
【００６１】
右方当接ヒレ部１５Ｃは、左枠対向壁部１５Ａ２において左方当接ヒレ部１３ｆに対応する部位から左縦枠１３′に向けてほぼ鉛直方向に沿って延在した板状部分である。この右方当接ヒレ部１５Ｃには、突出端部において浴室に臨む部分に右方タイト材１５Ｃａが設けてある。右方タイト材１５Ｃａは、障子１２０が閉じられた場合に右扉１２０Ｂにおいて右側に配置される縦框１２５の脱衣室に臨む見付け面に当接し、右方当接ヒレ部１５Ｃと障子１２０との間の気密を確保するものである。なお、方立側支持ヒレ部１５Ｂは、実施の形態１と同様の構成を有したものである。
【００６２】
この方立枠１５′は、浴室面壁部１５Ａ１の外表面を、縦枠見付け壁部１３ｂ，１４ｂの見付け面に合致させた状態で上方上枠部１１１及び下方上枠部１１３と下枠１２との間に配置し、上端部を下方上枠部１１３の上方取付ブラケット１６０に螺合する一方、下端部を下枠１２の下方取付ブラケット１６１に螺合することによって主枠部１０Ａに取り付けてある。
【００６３】
より詳細に説明すると、方立枠１５′の上端部においては、下方上枠部１１３の下面壁１１３Ａ２から下方に突出する上方取付ブラケット１６０の上部方立連結片１６０ａを方立基部１５Ａの内部から螺合支持壁部１５Ａ４に当接させ、この状態で脱衣室側から取付ネジＳを螺合するようにしている。本実施の形態２で適用する上方取付ブラケット１６０は、上部方立連結片１６０ａと上枠連結片１６０ｂとを有した略Ｌ字状を成すもので、上部方立連結片１６０ａが鉛直方向に沿う状態で上枠連結片１６０ｂを介して下方上枠部１１３の支持溝１１３Ａ５に取り付けてある。なお、下方上枠部１１３において方立枠１５′を取り付ける部分については、上方当接ヒレ部１１３Ｂが切除してある。
【００６４】
方立枠１５′の下端部においては、下枠基部１２ａの上面から上方に突出する下方取付ブラケット１６１の下部方立連結片１６１ａを方立基部１５Ａの内部から螺合支持壁部１５Ａ４に当接させ、この状態で脱衣室側から取付ネジＳを螺合するようにしている。本実施の形態２で適用する下方取付ブラケット１６１は、下部方立連結片１６１ａと下枠連結片１６１ｂとを有した略Ｌ字状を成すもので、下部方立連結片１６１ａが鉛直方向に沿う状態で下枠連結片１６１ｂを介して下枠基部１２ａの水平に延在する部分に取り付けてある。
【００６５】
取付ネジＳを螺合した後においては、螺合支持壁部１５Ａ４を覆うように方立枠１５′にアタッチメントカバー１１６を装着し、取付ネジＳが外部に露出しないようにしている。アタッチメントカバー１１６は、樹脂もしくはアルミニウム合金等の金属によって成形した押し出し形材である。このアタッチメントカバー１１６は、左枠対向壁部１５Ａ２及び右枠対向壁部１５Ａ３に設けた係合爪部１５Ａ７を介して方立枠１５′に着脱可能に装着してある。
【００６６】
上枠１１、右縦枠１４、方立枠１５′及び下枠１２によって囲まれた右開口（第１の開口）１０ＡＲには、図４及び図７に示すように、下枠１２との間に面材保持部材７０を介在させて固定面材３０を配設するようにしている。面材保持部材７０及び固定面材３０は、実施の形態１と同様の構成を有したものである。固定面材３０は、上縁部を上枠１１の上縁収容溝１１１Ｃに収容させ、下縁部を面材保持部材７０の下縁収容溝７０ａに収容させることによって右開口１０ＡＲに配設される。この状態においては、固定面材３０の両側縁部がそれぞれ縦枠１３′，１４の縦枠側支持ヒレ部１４ｃ及び方立枠１５′の方立側支持ヒレ部１５Ｂに当接された状態となり、縦枠側支持ヒレ部１４ｃ及び方立側支持ヒレ部１５Ｂにそれぞれ押縁５０を装着することで固定面材３０の両側縁部が縦枠１３′，１４及び方立枠１５′に挟持された状態となる。固定面材３０として樹脂パネルのように弾性変形が可能なものを適用する場合には、予め下枠１２に面材保持部材７０を取り付けておいても良いが、固定面材３０とともに面材保持部材７０を下枠１２に保持させることが好ましい。すなわち、固定面材３０の下縁部を予め下縁収容溝７０ａに収容させ、この状態から固定面材３０の上面部を上縁収容溝１１１Ｃに収容させながら下枠１２に面材保持部材７０を取り付ければ良い。図４及び図５からも明らかなように、左開口１０ＡＬの凹座部１２ｅにカバー部材８０を配設するのは、実施の形態１と同様である。
【００６７】
上記のように構成した浴室用建具によれば、左開口１０ＡＬの上部に構成される上枠１１の通気通路Ｘが浴室及び脱衣室にそれぞれ開口された状態となる。一方、右開口１０ＡＲの上部に構成される上枠１１の通気通路Ｘは、浴室側の開口が固定面材３０によって閉塞された状態となるため、別途部品によって右開口１０ＡＲの通気通路Ｘを塞ぐ必要がない。従って、部品点数を増やすことなく脱衣室への水の浸入を防止した上で浴室と脱衣室との間で換気を行うことが可能となる。
【００６８】
しかも、浴室側においては、固定面材３０と上枠１１、右縦枠１４、方立枠１５′及び面材保持部材７０との間に大きな段差が生じない。つまり、上枠１１においては、固定面材３０と浴室との間に下方中空部１１１Ｂａの前壁１１１Ｂａ１のみが介在し、面材保持部材７０においては、固定面材３０と浴室との間に面材保持部材７０の前壁１１１Ｂａ１のみが介在する構成である。右縦枠１４及び方立枠１５′においては、固定面材３０と浴室との間にそれぞれの支持ヒレ部のみが介在する構成である。従って、意匠性の点で有利となるばかりでなく、汚れが付着する部分も小さくなるため、掃除が容易となる利点もある。
【００６９】
また、固定面材３０の上縁部を直接上枠１１の上縁収容溝１１１Ｃに収容させるようにしているため、固定面材３０を保持するための部品によって採光が遮られることがなく、浴室内外の採光面積を広く確保することができるようになる。
【００７０】
さらに、下枠１２と固定面材３０との間に面材保持部材７０を介在させるようにしているため、下枠１２の上面を超えて浴室の防水パンに水が貯留された場合にも、面材保持部材７０の高さ分だけ脱衣室側へ水の浸入を防止することができるようになる。しかも、左開口１０ＡＬにおいては、凹座部１２ｅにカバー部材８０を配設しているため、段差がなくなるばかりでなく、滑り止めとしても機能するため、浴室と脱衣室との間の人の出入りの際に躓いたり滑ったりするおそれがなくなる。
【００７１】
またさらに、方立枠１５′は、上枠１１から下方に突出した上方取付ブラケット１６０の上部方立連結片１６０ａに取付ネジＳを螺合することにより上端部を連結し、かつ下枠１２から上方に突出した下方取付ブラケット１６１の下部方立連結片１６１ａに取付ネジＳを螺合することにより下端部を連結するようにしている。従って、主枠部１０Ａの外部に別途アングル材を配設して方立枠１５′を上枠１１や下枠１２に取り付ける必要がない。加えて、主枠部１０Ａにおいて固定面材３０をもっとも浴室に近接した位置に配置するようにしている。これらの結果、この浴室建具によれば、見込み方向に沿った寸法を小さくすることができ、脱衣室を広く使うことができるようになる。
【００７２】
なお、実施の形態２の主枠部１０Ａには、図８の変形例に示すように、唯一の扉２２０からなる障子を回転可能に配設すれば、開き戸として浴室用建具を構成することも可能である。なお、図８に示す変形例において実施の形態２と同様の構成については同一の符号が付してある。
【符号の説明】
【００７３】
１０ＡＬ  左開口、１０ＡＲ  右開口、１１  上枠、１２  下枠、１２ｄ  傾斜部、１２ｆ  係合溝、１３，１４  縦枠、１５  方立枠、１６  アタッチメントカバー、２０  障子、３０  固定面材、６０  取付ブラケット、７０  面材保持部材、７０ａ  下縁収容溝、７０ｂ  係合突起、８０  カバー部材、８０ａ１  上面、１１１  上方上枠部、１１１Ｂ  見付けカバー部、１１１Ｃ  上縁収容溝、１１２  下方上枠部、１１３  下方上枠部、１１６  アタッチメントカバー、１２０  障子、１６１  下方取付ブラケット、２２０  扉、Ｘ  通気通路
【図１】
0006576238.tif 000002
【図２】
0006576238.tif 000003
【図３】
0006576238.tif 000004
【図４】
0006576238.tif 000005
【図５】
0006576238.tif 000006
【図６】
0006576238.tif 000007
【図７】
0006576238.tif 000008
【図８】
0006576238.tif 000009